(57)【要約】【課題】  プロセス上での製造負担の極めて少ないバーストパターン形状であって、なおかつ正確な位置誤差信号を得ることができるバーストパターン形状を有する磁気記録媒体およびそれを用いた磁気記録再生装置を提供する。【解決手段】  ディスクリートメディアにおけるバーストパターン形状を、トラック幅方向およびトラック円周方向にそれぞれ実質的な台形形状を有する形状（四角錐台形状）とし、トラック幅方向の台形形状において凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたときに所定の関係を満たすように構成する。【選択図】  図５
2006012294.tif 000002
【特許請求の範囲】
【請求項１】
データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、
前記サーボ用情報部は所定の凹凸パターンで形成された磁気記録層から構成されており、
前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状を有し（四角錐台形状）、
前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｔｐ≧Ｗｒ＞Ｗ２＞Ｗ１
の条件を満たしてなることを特徴とする磁気記録再生装置。
【請求項２】
データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、
前記サーボ用情報部は所定の凹凸パターンで形成された磁気記録層から構成されており、
前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ２＝Ｔｐ  および
２Ｗ２−Ｗ１≧Ｗｒ≧Ｗ１
の条件を満たしてなることを特徴とする磁気記録再生装置。
【請求項３】
データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、
前記サーボ用情報部は所定の凹凸パターンで形成された磁気記録層から構成されており、
前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ１＝Ｔｐ  および
２Ｗ２−Ｗ１≧Ｗｒ≧Ｗ１／２
の条件を満たしてなることを特徴とする磁気記録再生装置。
【請求項４】
Ｗ１＝Ｔｐ  および
２Ｗ２−Ｗ１≧Ｗｒ≧Ｗ１
の条件を満たしてなる請求項３に記載の磁気記録再生装置。
【請求項５】
データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、
前記サーボ用情報部は所定の凹凸パターンで形成された磁気記録層から構成されており、
前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ１＞Ｔｐ  および
Ｗ２≧Ｗｒ≧Ｔｐ
の条件を満たしてなることを特徴とする磁気記録再生装置。
【請求項６】
データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、
前記サーボ用情報部は所定の凹凸パターンで形成された磁気記録層から構成されており、
前記サーボ用情報部は、トラッキング用のバースト信号が記録されるバースト部を備え、
前記バースト部は、バースト信号が記録された複数の凸部の磁気記録層からなる第１のバーストおよび第２のバーストを有し、
前記第１のバーストおよび第２のバーストは、互いに、トラック幅方向に、１トラックピッチずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ２≧Ｔｐ≧Ｗ１、および
Ｗ２≧Ｗｒ≧Ｗ１
の条件を満たしてなることを特徴とする磁気記録再生装置。
【請求項７】
凸状磁気記録層の下辺であるＷ２から上辺であるＷ１までの高さをｈとした場合、
ｔａｎ８５°≧２ｈ／（Ｗ２−Ｗ１）≧ｔａｎ５０°
の条件を満たしてなる請求項１ないし請求項６のいずれかに記載の磁気記録再生装置。
【請求項８】
データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として形成するように配置されており、前記第３のバーストおよび第４のバーストは、前記第１のバーストおよび第２のバーストの中心線から半トラックピッチだけずれた位置を中心線として形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｔｐ＞Ｗ２＞Ｗ１
の条件を満たしてなることを特徴とする磁気記録媒体。
【請求項９】
磁気記録媒体の記録再生用ヘッドとして、磁気ヘッドの読み出し幅をＷｒとした場合、
Ｔｐ≧Ｗｒ＞Ｗ２＞Ｗ１
の範囲を満足する磁気ヘッドを使用してなる請求項８に記載の磁気記録媒体。
【請求項１０】
データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ２＝Ｔｐ  および
２Ｗ２−Ｗ１＞Ｗ１
の条件を満たしてなることを特徴とする磁気記録媒体。
【請求項１１】
磁気記録媒体の記録再生用ヘッドとして、磁気ヘッドの読み出し幅をＷｒとした場合、
Ｗ２＝Ｔｐ  および
２Ｗ２−Ｗ１≧Ｗｒ≧Ｗ１
の範囲を満足する磁気ヘッドを使用してなる請求項１０に記載の磁気記録媒体。
【請求項１２】
データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ１＝Ｔｐ  および
２Ｗ２−Ｗ１＞Ｗ１／２
の条件を満たしてなることを特徴とする磁気記録媒体。
【請求項１３】
磁気記録媒体の記録再生用ヘッドとして、磁気ヘッドの読み出し幅をＷｒとした場合、
Ｗ１＝Ｔｐ  および
２Ｗ２−Ｗ１≧Ｗｒ≧Ｗ１／２
の範囲を満足する磁気ヘッドを使用してなる請求項１２に記載の磁気記録媒体。
【請求項１４】
磁気記録媒体の記録再生用ヘッドとして、磁気ヘッドの読み出し幅をＷｒとした場合、
Ｗ１＝Ｔｐ  および
２Ｗ２−Ｗ１≧Ｗｒ≧Ｗ１
の条件を満たしてなる請求項１２に記載の磁気記録媒体。
【請求項１５】
データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、
前記バースト部は、バースト信号が記録された複数の凸部の磁気記録層からなる第１のバースト、第２のバースト、第３のバースト、および第４のバーストを有し、
前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ１＞Ｔｐ  および
Ｗ２＞Ｔｐ
の条件を満たしてなることを特徴とする磁気記録媒体。
【請求項１６】
磁気記録媒体の記録再生用ヘッドとして、磁気ヘッドの読み出し幅をＷｒとした場合、
Ｗ１＞Ｔｐ  および
Ｗ２≧Ｗｒ≧Ｔｐ
の範囲を満足する磁気ヘッドを使用してなる請求項１５に記載の磁気記録媒体。
【請求項１７】
データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、
前記バースト部は、バースト信号が記録された複数の凸部の磁気記録層からなる第１のバーストおよび第２のバーストを有し、
前記第１のバーストおよび第２のバーストは、互いに、トラック幅方向に、１トラックピッチずれた位置を中心線として凸部の磁気記録層を形成するように配置されており、
前記凸部の磁気記録層は、トラック幅方向およびトラック円周方向にそれぞれ実質的な台形形状（四角錐台形状）を有し、
前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ２≧Ｔｐ≧Ｗ１
の条件を満たしてなることを特徴とする磁気記録媒体。
【請求項１８】
磁気記録媒体の記録再生用ヘッドとして、磁気ヘッドの読み出し幅をＷｒとした場合、
Ｗ２≧Ｔｐ≧Ｗ１、および
Ｗ２≧Ｗｒ≧Ｗ１
の範囲を満足する磁気ヘッドを使用してなる請求項１７に記載の磁気記録媒体。
【請求項１９】
凸状磁気記録層の下辺であるＷ２から上辺であるＷ１までの高さをｈとした場合、
ｔａｎ８５°≧２ｈ／（Ｗ２−Ｗ１）≧ｔａｎ５０°
の条件を満たしてなる請求項８ないし請求項１８のいずれかに記載の磁気記録媒体。
【発明の詳細な説明】
【技術分野】
【０００１】
本発明は、基板上に磁気記録層が所定の凹凸パターンで形成され、いわゆるサーボ領域と情報データ領域を有する磁気記録媒体（ディスクリートタイプの磁気記録媒体）、および、この磁気記録媒体とこの媒体のサーボ信号を検出するとともに情報データを記録再生する磁気ヘッドとを有する磁気記録再生装置に関するものである。
【背景技術】
【０００２】
従来、ハードディスク等の磁気記録媒体の面記録密度の向上は、（１）線記録密度を向上させることと、（２）トラック密度を向上させることの双方の手法により達成されてきている。今後さらにより一層の高密度化を図るためには、上記双方の手法に基づく記録密度の向上が必要である。
【０００３】
トラック密度を向上させることに関しては、磁気ヘッドの加工限界や、磁気ヘッド磁界の広がりに起因するサイドフリンジ、クロストークなどの問題が顕在化してきており、従来の改良手法の延長である磁気ヘッドの高トラック化技術を進歩させることによる面記録密度の向上は限界に達していると言える。
【０００４】
一方、線記録密度を向上させる手法として、従来の長手磁気媒体においては、薄層化、高保磁力が図られてきたが、さらなる媒体の高密度化と記録磁化の熱揺らぎに対する安定性の観点から、これらの条件を満足する垂直磁気記録媒体が注目されている。
【０００５】
このような実状のもと、面記録密度を向上させ、磁気ヘッドの高トラック密度化を補完する技術として、記録層を所定の凹凸パターンに形成するディスクリートトラックディスクタイプの磁気記録媒体が提案されている。例えば、特開平１１−３２８６６２号公報には、基板に予め所定の凹凸が施され、その凹凸に沿って単層の垂直磁気層が形成されている磁気記録媒体が開示されている。
【０００６】
高記録密度化を達成するには低スペーシング化が必要である。しかしながら、記録層の凹凸形状は磁気ヘッドの安定した浮上特性が得られないことがあり、ヘッドクラッシュなどの問題を引き起こす可能性がある。このような観点から、特開平１０−２２２９４４号公報には、トラック幅方向に凹凸形状を変え磁気ヘッドの浮上安定性を目的とした記録媒体が開示されている。
【０００７】
さらに、特開２０００−１９５０４２号公報には、磁気ヘッドの浮上特性の安定性を確保するため、凹凸形状の凹部を非磁性材料もしくは他の材料で充填するディスクリートタイプの磁気記録媒体が提案されている。
【０００８】
また、特開平６−１１１５０２号公報には、長手記録媒体における矩形状の凹凸構造によるトラッキングサーボのバーストパターンの幅、トラックピッチ及び再生ヘッドの読み出し幅との関係を規定した技術が開示されている。
【０００９】
一般に、磁気ディスク装置において、使用される磁気記録媒体には、磁気ヘッドのトラッキング用のためのサーボ領域がサーボトラックライタにより記録されている。
【００１０】
サーボ領域には、一般に、ＩＳＧ（Initial Signal Gain）部、ＳＶＡＭ（SerVo Address Mark）部、グレイコード部、バースト部、およびパッド部が存在し、これらは、所定の機能を発揮するために、種々の磁気パターンが形成されている。
【００１１】
これらの磁気パターンにおいて、バースト部は、通常、磁気記録媒体の半径方向に約１トラックピッチ分の幅で記録されている。また、それ以外のＩＳＧ部、ＳＶＡＭ部、グレイコード部およびパッド部は、通常、ディスク半径方向に連続して記録されているか、あるいは、半径方向に少なくとも数トラック以上に亘って連続して記録されている。
【００１２】
バースト部は、磁気ヘッドをトラック位置に正確にトラッキングさせるための正確な位置情報を得るためのパターンである。このようなバースト部のパターンは、通常、（１）隣接するトラックピッチを規制する中心線にそれぞれ等しく跨るように設けられた第１のバースト及び第２のバーストの組みから構成されるか、（２）あるいは、これらに加えて、これらの組から半トラックピッチだけずれた位置に存在する第３のバースト及び第４のバーストの組みを付加して構成されている。
【００１３】
最もシンプルな第１のバースト及び第２のバーストの組み合せにおけるトラッキング動作の一例を示すと以下の通りとなる。すなわち、磁気ヘッドが第１のバーストおよび第２のバーストを順次通過することにより、第１のバーストのパターンからの再生信号Ｓａと第２のバーストのパターンからの再生信号Ｓｂとを差動アンプで比較することにより位置誤差信号ＰＥＳ（Position Error Signal）＝（Ｓａ−Ｓｂ）の値が得られる。この位置誤差信号ＰＥＳ＝（Ｓａ−Ｓｂ）の値をサーボ制御用回路に入力し、位置誤差信号の大きさに応じて、トラッキング用サーボアクチュエータを駆動させることにより、磁気ヘッドの中心をデータトラックの中心へ追随させるように動作させている。
【００１４】
しかしながら、従来のディスクリートメディアにおけるバーストパターンは矩形形状のパターンであり、正確な位置誤差信号を得るためには、矩形形状パターンが理想的ではあるが、矩形形状を形成の際、形状面および寸法面から非常に高い精度が要求される。
【００１５】
このように成形精度を要求される分だけプロセス上での製造負担は極めて大きいと言える。
【００１６】
【特許文献１】特開平１１−３２８６６２号公報
【特許文献２】特開平１０−２２２９４４号公報
【特許文献３】特開２０００−１９５０４２号公報
【特許文献４】特開平６−１１１５０２号
【発明の開示】
【発明が解決しようとする課題】
【００１７】
このような実状のもとに本発明は創案されたものであって、その目的は、プロセス上での製造負担を大幅に軽減できるバーストパターン形状であって、なおかつ正確な位置誤差信号を得ることができるバーストパターン形状を有する磁気記録媒体およびそれを用いた磁気記録再生装置を提供することにある。
【課題を解決するための手段】
【００１８】
このような課題を解決するために、本発明は、データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状を有し（四角錐台形状）、前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｔｐ≧Ｗｒ＞Ｗ２＞Ｗ１
の条件を満たしてなるように構成される。
【００１９】
また、本発明は、データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ２＝Ｔｐ  および
２Ｗ２−Ｗ１≧Ｗｒ≧Ｗ１
の条件を満たしてなるように構成される。
【００２０】
また、本発明は、データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ１＝Ｔｐ  および
２Ｗ２−Ｗ１≧Ｗｒ≧Ｗ１／２
の条件を満たしてなるように構成される。
【００２１】
また、本発明は、データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ１＞Ｔｐ  および
Ｗ２≧Ｗｒ≧Ｔｐ
の条件を満たしてなるように構成される。
【００２２】
また、本発明は、データ情報記録部及びトラッキング用のサーボ用情報部を有する磁気記録媒体と、前記サーボ用情報部のサーボ情報を検出するとともに、前記データ情報記録部にデータ情報を記録し再生する磁気ヘッドと、を有する磁気記録再生装置において、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバーストおよび第２のバーストを有し、前記第１のバーストおよび第２のバーストは、互いに、トラック幅方向に、１トラックピッチずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたとき、
Ｗ２≧Ｔｐ≧Ｗ１、および
Ｗ２≧Ｗｒ≧Ｗ１
の条件を満たしてなるように構成される。
【００２３】
また、本発明の好ましい態様として、前記凸状磁気記録層の下辺であるＷ２から上辺であるＷ１までの高さをｈとした場合、
ｔａｎ８５°≧２ｈ／（Ｗ２−Ｗ１）≧ｔａｎ５０°
の条件を満たしてなるように構成される。
【００２４】
また、本発明は、データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として形成するように配置されており、前記第３のバーストおよび第４のバーストは、前記第１のバーストおよび第２のバーストの中心線から半トラックピッチだけずれた位置を中心線として形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｔｐ＞Ｗ２＞Ｗ１
の条件を満たしてなるように構成される。
【００２５】
前記磁気記録媒体の好ましい使用態様として、磁気記録媒体の記録再生用ヘッドとして、磁気ヘッドの読み出し幅をＷｒとした場合、
Ｔｐ≧Ｗｒ＞Ｗ２＞Ｗ１
の範囲を満足する磁気ヘッドを使用してなるように構成される。
【００２６】
また、本発明は、データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ２＝Ｔｐ  および
２Ｗ２−Ｗ１＞Ｗ１
の条件を満たしてなるように構成される。
【００２７】
前記磁気記録媒体の好ましい使用態様として、磁気記録媒体の記録再生用ヘッドとして、磁気ヘッドの読み出し幅をＷｒとした場合、
Ｗ２＝Ｔｐ  および
２Ｗ２−Ｗ１≧Ｗｒ≧Ｗ１
の範囲を満足する磁気ヘッドを使用してなるように構成される。
【００２８】
また、本発明は、データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ１＝Ｔｐ  および
２Ｗ２−Ｗ１＞Ｗ１／２
の条件を満たしてなるように構成される。
【００２９】
前記磁気記録媒体の好ましい使用態様として、磁気記録媒体の記録再生用ヘッドとして、磁気ヘッドの読み出し幅をＷｒとした場合、
Ｗ１＝Ｔｐ  および
２Ｗ２−Ｗ１≧Ｗｒ≧Ｗ１／２
の範囲を満足する磁気ヘッドを使用してなるように構成される。
【００３０】
また、本発明は、データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバースト、第２のバースト、第３のバースト、および第４のバーストを有し、前記第１のバーストおよび第２のバーストは、互いに、トラック幅方向に、１トラックピッチずれた位置を中心線として凸部の磁気記録層を形成するように配置されており、前記第３のバーストおよび第４のバーストは、前記第１のバーストおよび第２のバーストの中心線から半トラックピッチだけずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ１＞Ｔｐ  および
Ｗ２＞Ｔｐ
の条件を満たしてなるように構成される。
【００３１】
前記磁気記録媒体の好ましい使用態様として、磁気記録媒体の記録再生用ヘッドとして、磁気ヘッドの読み出し幅をＷｒとした場合、
Ｗ１＞Ｔｐ  および
Ｗ２≧Ｗｒ≧Ｔｐ
の範囲を満足する磁気ヘッドを使用してなるように構成される。
【００３２】
また、本発明は、データ情報記録部及びトラッキング用のサーボ用情報部を有する磁気記録媒体であって、前記サーボ用情報部は所定の凹凸パターンで形成された磁気記録層から構成されており、前記サーボ用情報部は、トラッキング用のバースト信号が記録されるバースト部を備え、前記バースト部は、バースト信号が記録された複数の凸部の磁気記録層からなる第１のバーストおよび第２のバーストを有し、前記第１のバーストおよび第２のバーストは、互いに、トラック幅方向に、１トラックピッチずれた位置を中心線として凸部の磁気記録層を形成するように配置されており、前記凸部の磁気記録層は、トラック幅方向およびトラック円周方向にそれぞれ実質的な台形形状（四角錐台形状）を有し、前記トラック幅方向の台形形状において、凸状磁気記録層の表面に対応する上辺をＷ１、凸状磁気記録層の下面に対応する下辺をＷ２、データ情報記録部のデータトラックピッチをＴｐとしたとき、
Ｗ２≧Ｔｐ≧Ｗ１
の条件を満たしてなるように構成される。
【００３３】
前記磁気記録媒体の好ましい使用態様として、磁気記録媒体の記録再生用ヘッドとして、磁気ヘッドの読み出し幅をＷｒとした場合、
Ｗ２≧Ｔｐ≧Ｗ１、および
Ｗ２≧Ｗｒ≧Ｗ１
の範囲を満足する磁気ヘッドを使用してなるように構成される。
【００３４】
また、本発明の好ましい態様として、前記凸状磁気記録層の下辺であるＷ２から上辺であるＷ１までの高さをｈとした場合、
ｔａｎ８５°≧２ｈ／（Ｗ２−Ｗ１）≧ｔａｎ５０°
の条件を満たしてなるように構成される。
【発明の効果】
【００３５】
本発明は、ディスクリートメディアにおけるバーストパターン形状を、トラック幅方向およびトラック円周方向にそれぞれ実質的な台形形状を有する形状（四角錐台形状）とし、トラック幅方向の台形形状において凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたときに所定の関係を満たすように構成しているので、プロセス上での寸法精度マージンを或る程度取ることが可能で製造負担が軽減でき、なおかつ正確な位置誤差信号を得ることができるバーストパターン形状を有する磁気記録媒体およびそれを用いた磁気記録再生装置を提供することができる。
【発明を実施するための最良の形態】
【００３６】
以下、本発明を実施するための最良の形態について詳細に説明する。
【００３７】
本発明の磁気記録再生装置は、データ情報記録部及びトラッキング用のサーボ用情報部を有する磁気記録媒体と、サーボ用情報部のサーボ情報を検出するとともに、前記データ情報記録部にデータ情報を記録し再生するための磁気ヘッドと、を有して構成されている。
【００３８】
まず、最初に、装置全体の構成を把握するために、磁気記録再生装置の概略構成例の説明を図６に基づいて説明する。
【００３９】
（磁気記録再生装置の概略構成例の説明）
図６には本発明の好適な一例である磁気記録再生装置の概略構成斜視図が示されている。この図において、磁気記録媒体１としてはディスク状の垂直磁気記録媒体（ディスクリートメディア）が用いられ、この媒体は、スピンドルモータ２により回転駆動されるようになっている。
【００４０】
また、磁気記録媒体に対してデータの読み出しや書き込みを行なうために、媒体の外方から媒体内方に向けて延設された回動アーム４の先端には記録再生用の磁気ヘッド５が設けられている。回動アーム４はボイスコイルモータ３によって回動されるようになっており、例えば、記録再生用の磁気ヘッド５により検出されたサーボ信号に基づき磁気ヘッド５を所定のトラックに位置決めできるようになっている。
【００４１】
記録再生用の磁気ヘッド５は記録素子および再生素子を有しており、記録素子としては、例えば主磁極励磁型の単磁極ヘッドが用いられ、再生素子としては例えばＧＭＲ（巨大磁気抵抗効果）ヘッドが用いられる。ＧＭＲヘッドの代わりに、ＴＭＲ（トンネリング磁気抵抗効果）ヘッド等を用いてもよい。
【００４２】
なお、本発明における磁気記録媒体の好適な一例として垂直磁気記録媒体を取りあげて説明しているが、いわゆる長手記録媒体についても適用可能である。
【００４３】
（磁気記録媒体の説明）
次いで、磁気記録媒体の構成について説明する。
【００４４】
図１には本発明に用いられるディスク状の磁気記録媒体１の全体形状を表す概略平面図が示され、図２には、図１の四角で囲まれた微小部分１００の部分拡大概略図が示される。図２においては、主として、サーボ信号が記録された領域であるサーボ用情報部９０および記録再生のためのデータトラック群であるデータ情報記録部８０が概念的に現されている。
【００４５】
図３には、本発明における磁気記録媒体の好適な実施の形態を概念的に示す断面図が示され、図３は、図２のα−α矢視断面図に実質的に相当する。
【００４６】
図１において、図示されてはいないがディスク基板上には記録再生のための複数のデータトラック群が同心円状に配置・形成されている。
【００４７】
また、ディスクの中心から外方に向けて、放射状にサーボ信号領域（サーボ用情報部９０：図面で放射線状に描かれている箇所）が形成されている。すなわち、ディスク面をセクタで分割した、いわゆるセクタサーボ方式を適用している。そして、磁気記録媒体のサーボ用情報部９０には、サーボトラッキングライタにより、サーボ情報が記録されている。
【００４８】
サーボ用情報部９０の構造について詳述すると、サーボ用情報部９０（いわゆるサーボ領域）は、図２に示されるようにＩＳＧ部９１、ＳＶＡＭ部９２、グレイコード部９３、バースト部９４およびパッド部９５を有している。
【００４９】
ＩＳＧ（Initial Signal Gain）部９１は、磁気記録媒体の磁性膜（磁性層）の磁気特性や磁気ヘッドの浮上量のむらの影響を排除するために設けられた連続パターンであり、トラック半径方向に連続して形成されている。このようなＩＳＧ部９１を磁気ヘッドにより再生している間、磁気記録媒体や磁気ヘッドによる出力バラツキを補正するため、サーボ復調回路はオートゲインコントロール（ＡＧＣ）によりゲインが決められる。このような作用を行なうオートゲインコントロール（ＡＧＣ）は、サーボ領域に存在するＳＶＡＭ（SerVo Address Mark）部９２を検出した時点でＯＦＦにされ、以降のバースト部９４に存在する再生振幅をＩＳＧ部９１の振幅で規格化する。
【００５０】
グレイコード部９３は各トラック番号情報、及びセクタ番号の情報が記録されている。
バースト部９４は、磁気ヘッドをトラック位置に正確にトラッキングさせるための正確な位置情報を得るためのパターンである。このパターンは、通常、隣接するトラックピッチを規制する中心線にそれぞれ等しく跨るように設けられた第１のバースト９４ａ及び第２のバースト９４ｂの組みと、これらの組から半トラックピッチだけずれた位置に存在する第３のバースト９４ｃ及び第４のバースト９４ｄの組みから構成されている。
【００５１】
換言すれば、第１のバースト９４ａおよび第２のバースト９４ｂは、互いに、トラック幅方向に、１トラックピッチずれた位置を中心線としてそれぞれ凸部の磁気記録層が形成されるように配置されており、第３のバースト９４ｃおよび第４のバースト９４ｃは、第１のバースト９４ａおよび第２のバースト９４ｂの中心線から半トラックピッチだけずれた位置を中心線として凸部の磁気記録層が形成されるように配置されている。
【００５２】
また、第３のバースト９４ｃおよび第４のバースト９４ｃは、互いに、トラック幅方向に、１トラックピッチずれた位置を中心線としてそれぞれ凸部の磁気記録層が形成される位置関係にある。図示のごとく第１のバースト９４ａ〜第４のバースト９４ｄは順次、下流側に移行した状態でパターン配置されている。
【００５３】
なお、本明細書では、第１のバースト９４ａ〜第４のバースト９４ｄを、第１のバーストトラック（ＶＴＲ１）〜第４バーストトラック（ＶＴＲ４）と称することもあるが、これらは同義である。
【００５４】
パット部９５は、サーボ復調回路がサーボ領域を再生する間のクロック生成を維持出来るように復調回路系の遅延を吸収するために設けられたパターンである。
【００５５】
ＩＳＧ部９１、ＳＶＡＭ部９２、パッド部９５はディスク半径方向に連続して記録されている。また、グレイコード部９３も半径方向に少なくとも数トラック以上に亘って記録される。
【００５６】
次いで、図３に基づいて、磁気記録媒体の好適な断面構成の一例を説明する。図３は、例えば、図２のα−α断面矢視図として把握することができる。
【００５７】
図３に示されるように磁気記録媒体は、基板１５と、この基板１５の上に形成された配向層１４と、この配向層１４の上に形成された軟磁性層１１と、この軟磁性層１１の上に形成された中間層１２と、この中間層１２の上に形成された凹凸状の凸部に相当する垂直磁気記録層１０および凹部に相当する非磁性層２０と、これらの上に形成される保護層１３とを有している。
【００５８】
基板１５としては、ガラス基板、ＮｉＰ被着アルミ合金基板、Ｓｉ基板などが好適に用いられる。配向層１４としては、例えば、軟磁性層１１のトラック幅方向への磁気異方性磁界を付与するためのＰｔＭｎ等の反強磁性材料を用いることができる。その他、配向を制御するための非磁性合金であってもよい。
【００５９】
軟磁性層１１としては、ＣｏＺｒＮｂ合金、Ｆｅ系合金、Ｃｏ系アモルファス合金、軟磁性／非磁性層の多層膜、軟磁性フェライト等が挙げられる。
【００６０】
中間層１２は、この中間層の上に形成される垂直磁気記録層の垂直磁気異方性および結晶粒径を制御するために設けられ、例えば、ＣｏＴｉ非磁性合金が用いられる。その他、同様な作用をする非磁性金属、合金、もしくは低透磁率の合金を用いてもよい。
【００６１】
凸部の垂直磁気記録層１０としては、ＳｉＯ2の酸化物系材料の中にＣｏＰｔなどの強磁性粒子をマトリックス状に含有させた媒体や、ＣｏＣｒ系合金、ＦｅＰｔ合金、Ｃｏ／Ｐｄ系の人工格子型多層合金などが好適に用いられる。後述するように本発明におけるサーボ信号を発生するように作用する記録層１０は台形形状とされる。
【００６２】
凹部の非磁性層２０の材料としては、ＳｉＯ2、Ａｌ2Ｏ3、ＴｉＯ2、フェライトなどの非磁性酸化物、ＡｌＮなどの窒素化物、ＳｉＣなどの炭化物が用いられる。
【００６３】
凸部の垂直磁気記録層１０や凹部の非磁性層２０の表面には、通常、ＣＶＤ法などを用いてカーボン薄膜等の保護層１３が形成される。
【００６４】
凹凸パターンに基づく垂直磁気記録層１０および非磁性層２０の形成（いわゆるディスクリートタイプの媒体の形成）は、例えば、一定厚さに成膜した垂直磁気記録層１０を所定の凹凸形状にエッチングした後に、エッチング深さに対応したＳｉＯ2をスパッタリングし、エッチングされた凹部を充填する。その後、媒体を、回転させながら斜めイオンビームエッチング法等により、垂直磁気記録層１０の上に余分に堆積したＳｉＯ2を除去して、媒体表面全体を平坦化するようにすればよい。
【００６５】
なお、図３における凹凸パターンに基づく垂直磁気記録層１０および非磁性層２０の形成（いわゆるディスクリートタイプの媒体の形成）のためのエッチング処理は、記録層の底部までに留めてあるが、さらに軟磁性層１１の領域まで入り込むようなエッチング処理を行い、凹凸パターンを作製するようにしてもよい。
【００６６】
図４には図３の変形例が示されている。図４の実施形態が図３のそれと異なる点は、一定厚さに成膜した垂直磁気記録層１０を所定の凹凸形状にエッチングする際に、磁気特性に影響を及ぼさない範囲で凹部位置の磁性層を薄く残している点にある。図４および図３の形態はいずれも本発明の実施形態であり、図４および図３に付してある同一符号は同一部材を示している。
【００６７】
（サーボ領域（サーボ用情報部）の仕様設定）
本発明の要部は、プロセス上での寸法精度マージンを取ることが可能で精度面での製造負担を軽減させること、およびトラッキングのための正確な位置誤差信号を得ることを目的として、ディスクリートメディアのサーボ領域におけるバースト部のバーストパターン形状を、トラック幅方向およびトラック円周方向にそれぞれ実質的な台形形状を有する形状（四角錐台形状）とし、トラック幅方向の台形形状において凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたときに所定の関係を満たすように媒体の構成を設定しているところにある。なお、台形状形状の垂直磁気記録層において、多少上辺の角が落ちている形状であってもよい。
【００６８】
なお、本発明の磁気ヘッドの読み出し幅Ｗｒ（磁気ヘッドの再生トラック幅）は、いわゆるＳＥＭ等により実測される光学寸法幅とは異なり、以下のように定義される。
【００６９】
すなわち、書き込みトラック幅より十分小さなマイクロトラックを形成し、磁気ヘッドをトラック幅方向に順次移動させ、磁気ヘッドの再生出力Ｖoutのオフトラックプロファイルを測定し、Ｖoutの最大値（Ｖout MAX）の１／２の出力値（Ｖout MAX／２）における幅（いわゆる半値幅）を「読み出し幅Ｗｒ」と定義する。「読み出し幅Ｗｒ」の定義の状態図が図５０に示される。
【００７０】
バースト部のバーストパターンには、（１）隣接するトラックピッチを規制する中心線にそれぞれ等しく跨るように設けられた第１のバースト及び第２のバーストの組みから構成されているタイプのもの、あるいは、（２）これらに加えて、これらの組から半トラックピッチだけずれた位置に存在する第３のバースト及び第４のバーストの組みを付加して構成されているタイプのものがある。これらの２つのタイプに分けて説明する。なお、バーストパターン等の仕様設定の説明は、具体的実施例による実験結果を参照しつつ考察することでより理解が容易になると考えられるので、以下、実施例および比較例を交えた種々の実験例を参考にしながら本発明を説明する。
【実施例】
【００７１】
〔Ｉ〕実験例１
隣接するトラックピッチを規制する中心線にぞれぞれ等しく跨るように設けられた第１のバースト（ＶＴＲ１）及び第２のバースト（ＶＴＲ２）の組みと、これらの組から半トラックピッチだけずれた位置に存在する第３のバースト（ＶＴＲ３）及び第４のバースト（ＶＴＲ４）の組みを付加して構成されるバースト信号配置のものについて
【００７２】
（磁気記録媒体の構成）
図１に示されるようにディスク面をセクタで分割し、セクタサーボ方式を適用するために、図２に示されるようなサーボ領域９０を形成した。すなわち、各サーボ信号のパターンに従って、ＩＳＧ部９１、ＳＶＡＭ部９２、グレイコード部９３、バースト部９４、およびパッド部９５を形成した。
【００７３】
バースト信号を記録するバースト部９４の凸部の磁気記録層（凸状磁気記録層）は、図５に示されるような台形状形状の垂直磁気記録層とした。凸状磁気記録層の表面に対応する上辺の寸法がＷ１であり、凸状磁気記録層の下面に対応する下辺の寸法がＷ２であり、下辺であるＷ２から上辺であるＷ１までの高さがｈである。なお、Ｗ２＞Ｗ１である。
バースト部９４以外のＩＳＧ部９１、ＳＶＡＭ部９２、グレイコード部９３、およびパッド部９５における凸部は、図示していないがディスク半径方向に長い台形状形状の帯状凸部垂直磁気記録層とし、１ビットづつ間隔を置いて配置した。
【００７４】
媒体の断面形状は、図３に示されるごとく、鏡面研磨したガラス基板１５の上に、配向層１４（下地層１４）としてＰｔＭｎ層を１５ｎｍ厚さに形成し、この上にＣｏＺｒＮｂからなる軟磁性層１１を２００ｎｍ厚さに形成し、さらにこの上に非磁性合金ＣｏＴｉからなる中間層１２を８ｎｍ厚さに形成した。次いで、この上に垂直磁気記録層１０を１５ｎｍ厚さに形成した後、所定の凹凸形状を作製するために所定パターンのエッチング処理を行なった。次いで、エッチングされた凹部を充填するためにＳｉＯ2をスパッタリングした。次いで、ＳｉＯ2を充填した媒体を回転させながら、斜めイオンビームエッチング処理を行い、垂直磁気記録層１０上に形成された余分なＳｉＯ2を除去し、媒体表面を平坦化した。この上にＣＶＤ法によりカーボン薄膜の保護膜１３を１ｎｍ厚さに形成し、さらにフォンブリン系潤滑剤を１ｎｍ厚さに塗布して媒体サンプルを完成させた。なお、垂直磁気記録層１０は、ＳｉＯ2の中にＣｏＰｔの強磁性粒子をマトリックス状に含ませた材料を用いた。
【００７５】
垂直磁気記録層の磁気特性を、試料振動型磁力計（ＶＳＭ）を用いて測定したところ、飽和磁化Ｍｓは３５０ｅｍｕ／ｃｃ、残留飽和磁化Ｍｒは３４０ｅｍｕ／ｃｃであった。垂直磁気記録層の厚さ（高さ）ｈは、上述のごとく１５ｎｍとした。
【００７６】
サーボ信号の記録密度は、１３０Ｋ・ＦＲＰＩ(Flux Reversal Per Inch)とした。また、データ領域のトラックピッチＴｐを２５４Ｋ・ＴＰＩ（Track Per Inch）に相当する１００ｎｍとした。データ領域におけるトラック（データトラック（ＤＴＲ））の幅は、７０ｎｍとした。
【００７７】
図５に示されるバーストパターンに相当する台形状形状の垂直磁気記録層の上辺Ｗ１および下辺Ｗ２の長さは、凹凸構造成形時のエッチング条件を変え、データトラックのトラックピッチＴｐの値を基準として、この基準から寸法的に大きくしたり小さくしたりして下記表１に示すような種々の形態の実験用バーストを形成した。台形状形状の台形の斜面と底面とのなす角度はすべての実験例において５０°とした。すなわち、ｔａｎ５０°＝２ｈ／（Ｗ２−Ｗ１）を満たす形状とした。
【００７８】
実験用バーストの形成に際しては、図２に示されるように、データトラック（ＤＴＲ）８０のパターンに対して、第１のバーストトラック（ＶＴＲ１）９４ａ、第２のバーストトラック（ＶＴＲ２）９４ｂ、第３のバーストトラック（ＶＴＲ３）９４ｃ、第４のバーストトラック（ＶＴＲ４）９４ｄが配置され、磁気ヘッド位置に対するＶＴＲ１とＶＴＲ２からの出力の差分信号とＶＴＲ３とＶＴＲ４からの出力の差分信号を合成することにより、後述する２種のバーストトラックのみからの構成の場合と比較して、さらに精密なＰＥＳ信号を生成するような構成にした。
【００７９】
また、記録用磁気ヘッドには、磁気的書き込み幅８０ｎｍの薄膜インダクティブヘッドを用いた。再生用磁気ヘッドには、巨大磁気抵抗効果（ＧＭＲ）ヘッドを用いた。なお、再生用磁気ヘッドの磁気的読み出し幅Ｗｒは、表１に示すごとく他のパラメータ（Ｗ１，Ｗ２，Ｔｐ）との関係で種々のものを用いた。
【００８０】
上記所定のサーボ領域及びデータ領域用に凹凸加工した垂直磁気記録媒体は、凸部の垂直磁気記録層を磁化してサーボ信号磁界を発生させるための処理を行なった。すなわち、直流磁界１５ｋＯｅの発生した電磁石の磁極間をディスク面が磁極面に平行になるように設定した後、サーボ領域及びデータ領域の台形状形状の垂直磁気記録層を一括して着磁させてサーボ信号を記録した。
【００８１】
このようにして準備された実験例１用の磁気記録媒体を用いて、下記の要領でトラッキング制御の実験を行った。
【００８２】
すなわち、下記表１に示されるディスクリートトラックディスク、読み出し用磁気ヘッドにおいて、トラックピッチＴｐを基準にして、Ｗ１、Ｗ２、Ｗｒのそれぞれの諸元の大小関係の組み合わせによる位置誤差信号ＰＥＳを全て求め、トラッキング特性としてＰＥＳの線形性が隣接間のトラック位置変動をある程度許容されていることを考慮して使用可能かどうかの判断を「使用レベル」の可否として表中に示した。
【００８３】
また、表１中の対応図面には、実施したＷ１，Ｗ２，ＴｐおよびＴｒの関係が模式的図面として示されているので、対応する図面を参照されたい。また、ＰＥＳ信号も同時に図面中に示している。なお、実際のバーストトラックには、複数のパターンを並べているが、模式的図面には理解が容易となるように、それぞれ１つのバーストパターンを示している。
【００８４】
【表１】
2006012294.tif 000003
【００８５】
（１）表１に示される実施形態Ｉ−１の条件は、Ｔｐ＞Ｗ２なる条件のもとに、磁気的読み出し幅Ｗｒに対するバーストパターンのＷ１、Ｗ２並びにトラックピッチＴｐの関係を変えた場合に位置誤差信号ＰＥＳがどのように変わるかを調べたものである。各ケースの対応図は図７〜図１１がそれぞれ該当する。
【００８６】
図７〜図１１からわかるように「Ｔｐ≧Ｗｒ＞Ｗ２＞Ｗ１」の範囲において、位置誤差検出信号の線形性が得られ、位置誤差信号として使用可能レベルであることがわかる。なお、図４９には図７のＡ−Ａ´矢視断面模式図が示されている。図７と図３に付してある同一符号は同一部材を示している。
【００８７】
（２）また、表１に示される実施形態Ｉ−２の条件は、Ｗ２＝Ｔｐなる条件のもとに、磁気的読み出し幅Ｗｒに対するバーストパターンのＷ１、Ｗ２の関係を変えた場合に位置誤差信号ＰＥＳがどのように変わるかを調べたものである。各ケースの対応図は図１２〜図１６がそれぞれ該当する。
【００８８】
図１２〜図１６からわかるように「Ｗ２＝Ｔｐ  かつ  ２Ｗ２−Ｗ１≧Ｗｒ≧Ｗ１」の範囲において、位置誤差検出信号の線形性が得られ、位置誤差信号として使用可能レベルであることがわかる。
【００８９】
（３）また、表１に示される実施形態Ｉ−３の条件は、Ｗ１＝Ｔｐなる条件のもとに、磁気的読み出し幅Ｗｒに対するバーストパターンのＷ１、Ｗ２の関係を変えた場合に位置誤差信号ＰＥＳがどのように変わるかを調べたものである。各ケースの対応図は図１７〜図２１がそれぞれ該当する。
【００９０】
図１７〜図２１からわかるように「Ｗ１＝Ｔｐ  かつ  ２Ｗ２−Ｗ１≧Ｗｒ≧Ｗ１／２」の範囲において、位置誤差検出信号の線形性が得られ、位置誤差信号として使用可能レベルであることがわかる。特に、好ましい範囲は、「Ｗ１＝Ｔｐ  かつ  ２Ｗ２−Ｗ１≧Ｗｒ≧Ｗ１」の範囲である。
【００９１】
（４）また、表１に示される実施形態Ｉ−４の条件は、Ｗ１＞Ｔｐなる条件のもとに、磁気的読み出し幅Ｗｒに対するバーストパターンのＷ１、Ｗ２ならびにＴｐの関係を変えた場合に位置誤差信号ＰＥＳがどのように変わるかを調べたものである。各ケースの対応図は図２２〜図２７がそれぞれ該当する。
【００９２】
図２２〜図２７からわかるように「Ｗ１＞Ｔｐ  かつ  Ｗ２≧Ｗｒ≧Ｔｐ」の範囲において、位置誤差検出信号の線形性が得られ、位置誤差信号として使用可能レベルであることがわかる。
【００９３】
〔ＩＩ〕実験例２
隣接するトラックピッチを規制する中心線にぞれぞれ等しく跨るように設けられた第１のバースト（ＶＴＲ１）及び第２のバースト（ＶＴＲ２）の組から構成されているバースト信号配置のものについて
【００９４】
（磁気記録媒体の構成）
上記実験例１における磁気記録媒体のバースト部の構造を、第１のバースト（ＶＴＲ１）及び第２のバースト（ＶＴＲ２）の組みのみからなる構造に変えた。つまり、第３のバースト及び第４のバーストの組みは設けなかった。それ以外は、上記実験例Ｉと同様な要領で、実験例２に使用する磁気記録媒体を作製した。このような実験例２に使用する磁気記録媒体を用いて、上記実験例１に準じてトラッキング制御の実験を行った。
【００９５】
すなわち、下記表２に示されるディスクリートトラックディスク、読み出し用磁気ヘッドにおいて、トラックピッチＴｐを基準にして、Ｗ１、Ｗ２、Ｗｒのそれぞれの諸元の大小関係の組み合わせによる位置誤差信号ＰＥＳを全て求め、トラッキング特性としてＰＥＳの線形性が使用可能かどうかの判断を「使用レベル」の可否として示した。
【００９６】
また、表２中の対応図面には、実施したＷ１，Ｗ２，ＴｐおよびＴｒの関係が模式的図面として示されているので、対応する図面を参照されたい。また、ＰＥＳ信号も同時に図面中に示している。なお、実際のバーストトラックには、複数のパターンを並べているが、模式的図面には理解が容易となるように、それぞれ１つのバーストパターンを示している。
【００９７】
【表２】
2006012294.tif 000004
【００９８】
（１）表２に示される実施形態ＩＩ−１の条件は、Ｔｐ＞Ｗ２なる条件のもとに、磁気的読み出し幅Ｗｒに対するバーストパターンのＷ１、Ｗ２並びにトラックピッチＴｐの関係を変えた場合に位置誤差信号ＰＥＳがどのように変わるかを調べたものである。各ケースの対応図は図２８〜図３１がそれぞれ該当する。
【００９９】
実験例２における磁気記録媒体の構成の説明からも分かるように、図面には、データトラック（ＤＴＲ）のパターンに対して、第１のバーストトラック（ＶＴＲ１）と第２のバーストトラック（ＶＴＲ２）のみが配置され、各磁気ヘッド位置に対するＶＴＲ１とＶＴＲ２からの出力の差分がＰＥＳの値として示される。前述したように実際のバーストトラックには複数のパターンが配置される。
【０１００】
磁気ヘッドの変位に対してＰＥＳは、本来線形性を有することが望ましいが、図２８および図３１ではＰＥＳは正弦波的な応答を示し、線形性が劣化する。また、図２９および図３０においては、磁気ヘッドの変位に対してＰＥＳ値が変化しない不感帯が発生する。実施形態ＩＩ−１におけるどの場合もＰＥＳの不感帯もしくはＰＥＳが位置変動に対して直線性が不十分である。従って、第１のバーストトラック（ＶＴＲ１）と第２のバーストトラック（ＶＴＲ２）のみの配置であって、Ｗ２＜Ｔｐの条件下においては、どのような磁気的読み出し幅Ｗｒに対しても良好な位置誤差信号が得られない。
【０１０１】
（２）表２に示される実施形態ＩＩ−２の条件は、Ｗ２＝Ｔｐなる条件のもとに、磁気的読み出し幅Ｗｒに対するバーストパターンのＷ１、Ｗ２並びにトラックピッチＴｐの関係を変えた場合に位置誤差信号ＰＥＳがどのように変わるかを調べたものである。各ケースの対応図は図３２〜図３５がそれぞれ該当する。
【０１０２】
これらの図面からわかるように「Ｗ２＝Ｔｐ  かつ  Ｗ２≧Ｗｒ≧Ｗ１」の範囲においては、所謂幾何学的に完全な線形性を有していないが、ディスクリートトラックのガードバンドがあるためＰＥＳとして許容出来る使用可能なレベルである。
【０１０３】
（３）表２に示される実施形態ＩＩ−３の条件は、Ｗ１＝Ｔｐなる条件のもとに、磁気的読み出し幅Ｗｒに対するバーストパターンのＷ１、Ｗ２並びにトラックピッチＴｐの関係を変えた場合に位置誤差信号ＰＥＳがどのように変わるかを調べたものである。各ケースの対応図は図３６〜図３９がそれぞれ該当する。
【０１０４】
これらの図面からわかるように「Ｗ１＝Ｔｐ  かつ  Ｗ２≧Ｗｒ≧Ｗ１」の範囲においては、所謂幾何学的に完全な線形性を有していないが、ディスクリートトラックのガードバンドがあるためＰＥＳとして許容出来る使用可能なレベルである。
【０１０５】
（４）表２に示される実施形態ＩＩ−４の条件は、Ｗ１＞Ｔｐなる条件のもとに、磁気的読み出し幅Ｗｒに対するバーストパターンのＷ１、Ｗ２並びにトラックピッチＴｐの関係を変えた場合に位置誤差信号ＰＥＳがどのように変わるかを調べたものである。各ケースの対応図は図４０〜図４３がそれぞれ該当する。
【０１０６】
実施形態ＩＩ−４におけるどの条件においても不感帯が発生する。したがって、Ｗ１＞Ｔｐにおいては、どのような磁気的読み出し幅Ｗｒに対しても良好な位置誤差信号が得られない。
【０１０７】
以上、第１のバーストトラック（ＶＴＲ１）と第２のバーストトラック（ＶＴＲ２）のみの配置における実施形態ＩＩー１〜ＩＩ−４までの全ての条件の実験結果を考察するに、トラッキング用のバースト信号が記録された該凸部の磁気記録層がトラック幅方向の台形状形状において該磁気記録層表面に対応する上辺をＷ１、該磁気記録層下面に対応する下辺をＷ２、データトラックピッチをＴｐ、磁気ヘッドの読み出し幅をＷｒとしたとき、「Ｗ２≧Ｔｐ≧Ｗ１  且つ、Ｗ２≧Ｗｒ≧Ｗ１」なる関係を満たすことにより、良好なトラッキング特性が得られる。
【０１０８】
〔III〕実験例３
台形形状の斜面の角度依存性についての実験を行なった。すなわち、上記表１における実施形態Ｉ−３の下限の条件Ｗｒ＝Ｗ１／２（図１８）について、台形形状パターンの斜面の角度依存性を調べた。実施形態Ｉ−３のＷｒ＝Ｗ１／２の要件（図１８）は、線形性を得るためには条件的に最も厳しい条件であるといえる。
【０１０９】
下記表３に、台形状パターンの台形斜面の角度依存性を調べるため実施した結果を示す。台形状パターンの斜面の角度θを２１°、３１°３８．７°、５０°、８５°に設定したときのＰＥＳの図面を図４４〜図４８に示した。表３において、線形性の観点から使用可能レベルの場合を「○」を付け、線形性的に使用が難しいものについては「×」で示した。
【０１１０】
【表３】
2006012294.tif 000005
【０１１１】
表３の結果から、台形状形状のパターンにおいて、条件の厳しい場合においても、特にトラック幅方向における台形状構造の斜面と底面の角度が、少なくとも５０°以上の角度を有することが好ましい。最大の斜面の角度は、８５°以下とするのが好ましい。
すなわち、凸状磁気記録層の下辺であるＷ２から上辺であるＷ１までの高さをｈとした場合、
ｔａｎ８５°≧２ｈ／（Ｗ２−Ｗ１）≧ｔａｎ５０°、好ましくは、
ｔａｎ８０  ≧２ｈ／（Ｗ２−Ｗ１）≧ｔａｎ７０、とするのがよい。
【０１１２】
なお、バーストパターン幅がトラックピッチＴｐに等しい場合には、角度９０℃の矩形形状が望ましいと考えられるが、あくまで、寸法が完全に一致しているという前提があってのことである。実際には、寸法を全く一致させて完全な寸法精度を維持することはきわめて困難である。寸法がばらついた場合、バラツキに比例して出力に違いが出てくる。特に、第１のバーストトラック（ＶＴＲ１）と第２のバーストトラック（ＶＴＲ２）の配置において、双方で、バーストパターン幅がトラックピッチＴｐより小さくなった場合、両パターン間において完全に信号がでない隙間が発生し、この箇所で非線形となりバラツキの大きさが強調されるという問題が生じる。これに対して、本願の台形形状では、第１のバーストトラック（ＶＴＲ１）と第２のバーストトラック（ＶＴＲ２）の配置において、台形形状の斜面が重なっていれば完全に出力がなくなることはなく、寸法精度も緩和され、実用的にもプロセス的にも優れる。
【０１１３】
以上の結果より本発明の効果は明らかである。すなわち、本発明は、ディスクリートメディアにおけるバーストパターン形状を、トラック幅方向およびトラック円周方向にそれぞれ実質的な台形形状を有する形状（四角錐台形状）とし、トラック幅方向の台形形状において凸状磁気記録層の表面に対応する上辺をＷ１、凸状磁気記録層の下面に対応する下辺をＷ２、データ情報記録部のデータトラックピッチをＴｐ、磁気ヘッドの読み出し幅をＷｒとしたときに所定の関係を満たすように構成しているので、プロセス上での寸法精度マージンを或る程度取ることが可能で製造負担が軽減され、なおかつ正確な位置誤差信号を得ることができるバーストパターン形状を有する磁気記録媒体およびそれを用いた磁気記録再生装置を提供することができる。
【０１１４】
なお、図４に示されるような磁性層の一部が残されている形態においても、薄く残っている残余の磁性層は磁気特性にほとんど影響を及ぼさないので、残余の部分を無視した凸状磁気記録層の下面に対応する下辺をＷ２と考えて、本発明を適用すればよい。
【産業上の利用可能性】
【０１１５】
本発明の磁気記録装置は、特に、コンピュータに装備して用いられるものであり、情報記録のための装置産業に利用することができる。
【図面の簡単な説明】
【０１１６】
【図１】図１は、本発明のディスク状の磁気記録媒体の全体形状を表す概略平面図である。
【図２】図２は、図１の四角で囲まれた微小部分の部分拡大概略図である。
【図３】本発明の磁気記録媒体の好適な実施の形態を概念的に示す断面図である。
【図４】本発明の磁気記録媒体の好適な実施の形態を概念的に示す断面図である。
【図５】台形状形状の垂直磁気記録層の構造を示す概略斜視図である。
【図６】磁気記録再生装置の概略斜視図である。
【図７】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図８】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図９】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１０】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１１】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１２】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１３】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１４】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１５】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１６】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１７】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１８】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図１９】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２０】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２１】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２２】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２３】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２４】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２５】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２６】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２７】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２８】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図２９】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３０】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３１】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３２】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３３】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３４】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３５】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３６】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３７】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３８】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図３９】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図４０】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図４１】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図４２】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図４３】具体的な実験態様を図面にしたものであって、磁気的読み出し幅Ｗｒに対するバーストパターンのＷ１、Ｗ２並びにトラックピッチＴｐの関係を模式的に示す図面である。位置誤差信号ＰＥＳも同時に併記してある。
【図４４】台形状パターンの台形斜面の角度依存性を調べるため実施した実験態様を図面にしたものである。
【図４５】台形状パターンの台形斜面の角度依存性を調べるため実施した実験態様を図面にしたものである。
【図４６】台形状パターンの台形斜面の角度依存性を調べるため実施した実験態様を図面にしたものである。
【図４７】台形状パターンの台形斜面の角度依存性を調べるため実施した実験態様を図面にしたものである。
【図４８】台形状パターンの台形斜面の角度依存性を調べるため実施した実験態様を図面にしたものである。
【図４９】図７のＡ−Ａ´矢視断面模式図である。
【図５０】「読み出し幅Ｗｒ」の定義を説明するための図面である。
【符号の説明】
【０１１７】
１…磁気記録媒体
２…スピンドルモータ
３…ボイスコイルモータ
４…回動アーム
５…記録再生磁気ヘッド
１０…垂直磁気記録層
１１…軟磁性層
１２…中間層
１３…保護膜
１４…配向層
２０…非磁性層
８０…データ情報記録部
９０…サーボ用情報部
９１…ＩＳＧ部
９２…ＳＶＡＭ部
９３…グレイコード部
９４…バースト部
９５…パッド部
Ｔｐ…データトラックピッチ
ＶＴＲ１…第１のバーストトラック
ＶＴＲ２…第２のバーストトラック
ＶＴＲ３…第３のバーストトラック
ＶＴＲ４…第４のバーストトラック
Ｗｒ…磁気的読み出し幅
ＰＥＳ…位置誤差信号
【図１】
2006012294.tif 000006
【図２】
2006012294.tif 000007
【図３】
2006012294.tif 000008
【図４】
2006012294.tif 000009
【図５】
2006012294.tif 000010
【図６】
2006012294.tif 000011
【図７】
2006012294.tif 000012
【図８】
2006012294.tif 000013
【図９】
2006012294.tif 000014
【図１０】
2006012294.tif 000015
【図１１】
2006012294.tif 000016
【図１２】
2006012294.tif 000017
【図１３】
2006012294.tif 000018
【図１４】
2006012294.tif 000019
【図１５】
2006012294.tif 000020
【図１６】
2006012294.tif 000021
【図１７】
2006012294.tif 000022
【図１８】
2006012294.tif 000023
【図１９】
2006012294.tif 000024
【図２０】
2006012294.tif 000025
【図２１】
2006012294.tif 000026
【図２２】
2006012294.tif 000027
【図２３】
2006012294.tif 000028
【図２４】
2006012294.tif 000029
【図２５】
2006012294.tif 000030
【図２６】
2006012294.tif 000031
【図２７】
2006012294.tif 000032
【図２８】
2006012294.tif 000033
【図２９】
2006012294.tif 000034
【図３０】
2006012294.tif 000035
【図３１】
2006012294.tif 000036
【図３２】
2006012294.tif 000037
【図３３】
2006012294.tif 000038
【図３４】
2006012294.tif 000039
【図３５】
2006012294.tif 000040
【図３６】
2006012294.tif 000041
【図３７】
2006012294.tif 000042
【図３８】
2006012294.tif 000043
【図３９】
2006012294.tif 000044
【図４０】
2006012294.tif 000045
【図４１】
2006012294.tif 000046
【図４２】
2006012294.tif 000047
【図４３】
2006012294.tif 000048
【図４４】
2006012294.tif 000049
【図４５】
2006012294.tif 000050
【図４６】
2006012294.tif 000051
【図４７】
2006012294.tif 000052
【図４８】
2006012294.tif 000053
【図４９】
2006012294.tif 000054
【図５０】
2006012294.tif 000055